(57)【要約】      （修正有）【課題】トラックバックを自動化し、投稿作業の省力化や確実なトラックバックを可能にする。【解決手段】ユーザは、ブログサーバに公開されている記事のトラックバック先識別画像付きの表示を、ブログサーバへ要求する。ブログサーバは、トラックバック先識別画像付きの記事表示を、ウェブブラウザへ応答する。関連記事を作成したユーザは、画像読取装置で、新規記事原稿とトラックバック先識別画像付きの記事原稿を入力し、自分のブログサーバへ登録処理通知を行う。ブログサーバの記事投稿部１１は、記事の本体画像と記事登録情報を使用して、新規に投稿記事を作成する。ブログサーバのトラックバック先登録部１３は、トラックバック先情報を、投稿記事のトラックバック先として登録する。ブログサーバの公開処理部１４は、投稿記事を公開し、トラックバック先へ通知を行う。【選択図】図２
2008181345.tif 000002
【特許請求の範囲】
【請求項１】
指示データに従って処理を実行する画像読取装置と、第１のブログサーバ装置と、第２のブログサーバ装置とを通信ネットワークを介して接続してなる情報処理システムにおいて、
上記第１のブログサーバ装置は、
記事のトラックバック先情報を記憶する記憶手段と、
クライアント装置からの要求に応じて、記事のトラックバック先情報を含みトラックバック指定を行う指示データを、生成する生成手段と、
生成した上記指示データを上記画像読取装置の記憶手段に指示データレコードとして登録させるために上記指示データを上記画像読取装置に送出する送出手段とを有し、
上記画像読取装置は、上記第１のブログサーバ装置から指示データを受け取り上記記憶手段に記憶し、上記第２のブログサーバ装置に記事データと、上記指示データに含まれるトラックバック先情報とを送出し、
上記第２のブログサーバ装置は上記記事データに基づいて記事を登録し、上記トラックバック先情報をトラックバック先とするトラックバック通知を上記第１のブログサーバ装置に送信することを特徴とする情報処理システム。
【請求項２】
画像読取装置の処理内容を指定する指示データを記憶する指示データ提供用サーバ装置と、上記指示データ提供用サーバ装置から指示データを取得する画像読取装置と、第１のブログサーバ装置と、第２のブログサーバ装置とを通信ネットワークを介して接続してなる情報処理システムにおいて、
上記第１のブログサーバ装置は、
記事のトラックバック先情報を記憶する記憶手段と、
クライアント装置からの要求に応じて、記事のトラックバック先情報を含みトラックバック指定を行う指示データを、生成する生成手段と、
生成した上記指示データを上記指示データ提供用サーバ装置の指示データレコードとして登録させるために上記指示データを上記指示データ提供用サーバ装置に送出する送出手段とを有し、
上記指示データ提供用サーバ装置は、上記第１のブログサーバ装置から受け取った上記指示データを指示データレコードとして記憶し、
上記画像読取装置は、指示データ提供用サーバ装置から指示データを受け取り上記第２のブログサーバ装置に記事データと、上記指示データに含まれるトラックバック先情報とを送出し、
上記第２のブログサーバ装置は上記記事データに基づいて記事を登録し、上記トラックバック先情報をトラックバック先とするトラックバック通知を上記第１のブログサーバ装置に送信することを特徴とする情報処理システム。
【請求項３】
上記第１のブログサーバ装置および上記第２のブログサーバ装置は同一である請求項１または２に記載の情報処理システム。
【請求項４】
画像読取装置の処理内容を指定する指示データを記憶する当該画像読取装置または指示データ提供用サーバ装置に通信ネットワークを介して接続されるブログサーバ装置において、
記事のトラックバック先情報を記憶する記憶手段と、
クライアント装置からの要求に応じて記事のトラックバック先情報を含みトラックバック指定を行う指示データを生成する生成手段と、
生成した上記指示データを上記指示データ提供用サーバ装置または上記画像読取装置の指示データレコードとして登録させるために上記指示データを上記指示データ提供用サーバ装置または上記画像読取装置に送出する送出手段とを有することを特徴とするブログサーバ装置。
【請求項５】
画像読取装置の処理内容を指定する指示データを記憶する当該画像読取装置または指示データ提供用サーバ装置に通信ネットワークを介して接続されるブログサーバコンピュータに用いられるブログサービス提供用コンピュータプログラムにおいて、
記事のトラックバック先情報を記憶手段に記憶するステップと、
クライアント装置からの要求に応じて記事のトラックバック先情報を含みトラックバック指定を行う指示データを生成するステップと、
生成した上記指示データを上記指示データ提供用サーバ装置または上記画像読取装置の指示データレコードとして登録させるために上記指示データを上記指示データ提供用サーバ装置または上記画像読取装置に送出するステップとを上記ブログサーバコンピュータに実行させるために用いられることを特徴とするブログサービス提供用コンピュータプログラム。
【請求項６】
プリンタと、画像読取装置と、第１のブログサーバ装置と、第２のブログサーバ装置とを通信ネットワークを介して接続してなる情報処理システムにおいて、
上記第１のブログサーバ装置は、
記事のトラックバック先情報を記憶する記憶手段と、
クライアント装置からの要求に応じて記事のトラックバック先情報の識別画像を含むウェブページを生成する生成手段とを有し、
上記プリンタは、クライアント装置からの要求に応じて、上記記事のトラックバック情報の識別画像を含むウェブページを印刷し、
上記画像読取装置は、上記ウェブページの印刷画像および新たに上記第２のブログサーバ装置に投稿する記事の印刷画像を読み取り、上記第２のブログサーバ装置に送出し、
上記第２のブログサーバ装置は、
上記記事の印刷画像を処理して記事データベースに登録する登録手段と、
上記ウェブページの印刷画像に含まれるトラックバック先情報の識別画像に基づいてトラックバック先の上記第１のブログサーバ装置にトラックバック通知を送信する送信手段とを有することを特徴とする情報処理システム。
【請求項７】
上記第１のブログサーバ装置および上記第２のブログサーバ装置は同一である請求項６記載の情報処理システム。
【請求項８】
記事および記事のトラックバック先情報を記憶する記憶手段と、
クライアント装置からの要求に応じて、記事および記事のトラックバック先識別画像からなるウェブページを出力する出力手段とを有することを特徴とするブログサーバ装置。
【発明の詳細な説明】
【技術分野】
【０００１】
この発明は、ブログサーバ装置およびこれを利用した情報処理システムに関する。
【背景技術】
【０００２】
電子掲示板システムのようなウェブサービスを利用する際に、電話回線やネットワークで接続されているファクシミリ装置やスキャナ装置を用いて、文書を読み込み、公開、掲示することが知られている。これらのシステムでは、ファクシミリ装置やスキャナ装置が読み取る原稿に画像以外の付加情報を添付することで、公開対象のＨＴＭＬ文書を自動的に作成することができ、ユーザはＨＴＭＬの知識がなくても、電子掲示板システムを利用できる（特許文献１等）。
【０００３】
これらのシステムのうち、バーコードで表示した設計情報によってＵＲＬ識別画像を自らのホームページ内でリンク表示として生成する手段をそなえているものがある（特許文献２）。このシステムにおいては、ユーザの情報公開時に参考としたＵＲＬを埋め込むために、ユーザはＵＲＬ識別画像作成時にそのＵＲＬを指定する必要があった。
【０００４】
ところで、最近普及しているブログ（あるいはウェブログ）では、登録された記事を閲覧したユーザが、自分のブログに関連する記事を公開する時、トラックバックという機能を利用して、相手のサイトの記事から自分のサイトの記事へたどれるように関連付け（逆リンク）することができる。この機能は、相手のサイトへ関連記事をコメントとして書き込むのではなく、自らのサイトへ記事を投稿するため、投稿が容易である。更に、相手サイトが用意してあるトラックバック先へ自分のサイトから通知すると、相手側が通知したサイトにリンク・表示する仕組みのため、他の閲覧者はトラックバックしている関連記事を見つけることが用意であるとともに、投稿者は自らの記事への閲覧される機会を多くなる効果や、元の投稿者が自分の記事がどれだけ参照されているか把握する効果がある。
【０００５】
しかしながら、トラックバックを行うためには、相手側のトラックバック先（トラックバックＵＲＬ）を知っていて、記事を投稿する時にそれを入力する必要がある。そのため、先に記述したファクシミリ装置やスキャナ装置で記事を自動的に投稿する方法では、トラックバックを自動化することはできず、投稿された後でトラックバック先を入力する必要がある。また、元の記事や中で利用されている画像や電子文書を印刷して、紙として携帯し、別の場所で記事を完成させることがある。このとき、トラックバック先を控えることを忘れた場合には、ネットワークに接続された環境で相手側のサイトのトラックバック先を確認する必要があった。
【０００６】
なお、上述の従来技術やその問題点は、この発明の背景の一部を説明するためにのみ説明している。この発明は上述の従来技術や問題点に限定されるものではない点に留意されたい。
【特許文献１】特開２００２−７３６１９公報
【特許文献２】特開２００２−３１８７６２公報
【発明の開示】
【発明が解決しようとする課題】
【０００７】
この発明は、以上の事情を考慮してなされたものであり、元の記事を参照しているときにトラックバック先を情報機器が参照できる記録手段に自動的に記憶し、関連記事の投稿時に、情報機器がトラックバック先の情報を参照することでトラックバックを自動化し、投稿作業の省力化や確実なトラックバックを可能とする技術を提供することを目的としている。
【課題を解決するための手段】
【０００８】
この発明の原理的な構成例によれば、上述の目的を達成するために、元の記事を参照しているときにトラックバック先を情報機器が参照できる記録手段に自動的に記憶し、関連記事の投稿時に、情報機器がトラックバック先の情報を参照するようにしている。
【０００９】
トラックバック先情報の記録手段として、例えば、以下の２つがある。
【００１０】
第１の記録手段は、トラックバック先（トラックバックＵＲＬ）を埋め込んだ識別画像（バーコードなど）を記事の内容とともに表示したものである。この表示内容を印刷すると識別画像を伴った紙原稿となるが、スキャナで読み取った画像から、識別画像を判別し、トラックバック先を抽出することができる。表示自体を判別したり、スキャナで読み取ったりしてもよい。
【００１１】
第２の記録手段は、トラックバック先が記載された指示データレコード（処理フローテンプレート）である。画像読取装置が指示データ（処理フローテンプレート、フローテンプレートまたはジョブテンプレートともいう）の指示に従って処理を実行する。指示データは、画像読取装置の処理のパラメータおよび／または手順を指定するものである。指示データはサーバ装置に記憶されても良いし、画像読取装置自体に記憶されても良い。画像読取装置で、処理フローテンプレートを実行することにより、画像およびトラックバック先情報を他の情報機器へ転送することができるため、他の情報機器でトラックバック先を抽出することができる。
【００１２】
画像読取装置の画像処理の実行時に、読み出すことができる記憶手段であれば、どのような記憶手段でもかまわない。例えば、トラックバック先が記載された携帯記憶装置であってもよい。画像読取装置が処理フローテンプレートでの画像処理の実行時に、携帯記憶装置（ＵＳＢメモリや書き込み可能なカード型記憶装置）などから付加情報を読める場合に、携帯記憶装置にトラックバック先情報を記憶すればよい。
【００１３】
この原理的な構成例では、ブログサーバ装置は、例えば、トラックバック先識別情報格納機能、トラックバック先識別情報記憶部、投稿処理登録機能、トラックバック先抽出機能、記事登録機能、トラックバック先登録機能、公開機能等を有する。
【００１４】
トラックバック先識別情報格納機能は、例えば、記事のトラックバック先の情報を取り出し、記憶部へ格納する機能である。トラックバック先の情報を識別画像に記憶する場合には、その画像を生成し格納する。また、トラックバック先の情報を、ネットワーク型画像読取装置（ファクス、スキャナ）が記憶する画像読み取り後の処理フローへの付加情報とする場合には、ネットワーク型画像読取装置へ処理フローを格納する。
【００１５】
トラックバック先識別情報記憶部は、例えば、トラックバック先識別情報を記憶する手段である。識別画像と記事を伴った原稿や画像読取装置に記憶される処理フローテンプレートを記憶する。
【００１６】
投稿処理登録機能は、例えば、画像読取装置へ画像読み取り後に実行するフローを登録する。トラックバック先の識別画像で実現する場合には、画像の転送先のみ登録できればよい。処理フローテンプレートが実行可能な画像読取装置であれば、投稿記事に関する情報、トラックバック先と画像の転送先が記載された処理フローテンプレートを登録することができればよい。
【００１７】
トラックバック先抽出機能は、例えば、トラックバック先識別情報を抽出し、トラックバック先を読み取る機能である。
【００１８】
記事登録機能は、例えば、画像から読み取った記事を投稿記事として登録するものである。
【００１９】
トラックバック先登録機能は、例えば、抽出したトラックバック先を投稿記事のトラックバック先情報へ登録するものである。
【００２０】
公開機能は、例えば、登録された記事の公開およびトラックバック先への通知を行うものである。
【００２１】
さらにこの発明を説明する。
【００２２】
この発明の一側面によれば、上述の目的を達成するために、画像読取装置の処理内容を指定する指示データを記憶する指示データ提供用サーバ装置と、上記指示データ提供用サーバ装置から指示データを取得する画像読取装置と、第１のブログサーバ装置と、第２のブログサーバ装置とを通信ネットワークを介して接続してなる情報処理システムを構成する。上記第１のブログサーバ装置は：記事のトラックバック先情報を記憶する記憶手段と；クライアント装置からの要求に応じて、記事のトラックバック先情報を含みトラックバック指定を行う指示データを、生成する生成手段と；生成した上記指示データを上記指示データ提供用サーバ装置の指示データレコードとして登録させるために上記指示データを上記指示データ提供用サーバ装置に送出する送出手段とを有する。上記指示データ提供用サーバ装置は、上記第１のブログサーバ装置から受け取った上記指示データを指示データレコードとして記憶する。上記画像読取装置は、指示データ提供用サーバ装置から指示データを受け取り上記第２のブログサーバ装置に記事データと、上記指示データに含まれるトラックバック先情報とを送出しする。上記第２のブログサーバ装置は上記記事データに基づいて記事を登録し、上記トラックバック先情報に基づいてトラックバック先とするトラックバック通知を送信する。
【００２３】
この構成においては、元の記事を参照しているときにトラックバック先を情報機器が参照できる指示データ提供用サーバ装置に自動的に記憶し、関連記事の投稿時に、情報機器がトラックバック先の情報を参照することでトラックバックを自動化し、投稿作業の省力化や確実なトラックバックが可能になる。
【００２４】
この構成において、上記第１のブログサーバ装置および上記第２のブログサーバ装置は同一であってもよいし、別のものであってもよい。
【００２５】
通信ネットワークは、種々の通信プロトコルを用いて継続的にまたは一時的（ポイントツーポイントで）に接続されるものである。ファクシミリや通話回線を用いたネットワークであっても良い。指示データ（処理フローテンプレート、フローテンプレートまたはジョブテンプレートともいう）は、上述のとおり、画像読取装置の処理のパラメータおよび／または手順を指定するものである。
【００２６】
また、この発明の他の側面によれば、上述の目的を達成するために、画像読取装置の処理内容を指定する指示データを記憶する指示データ提供用サーバ装置と、上記指示データ提供用サーバ装置から指示データを取得する画像読取装置と、第１のブログサーバ装置と、第２のブログサーバ装置とを通信ネットワークを介して接続してなる情報処理システムを構成する。上記第１のブログサーバ装置は：記事のトラックバック先情報を記憶する記憶手段と；クライアント装置からの要求に応じて、記事のトラックバック先情報を含みトラックバック指定を行う指示データを、生成する生成手段と；生成した上記指示データを上記指示データ提供用サーバ装置の指示データレコードとして登録させるために上記指示データを上記指示データ提供用サーバ装置に送出する送出手段とを有する。上記指示データ提供用サーバ装置は、上記第１のブログサーバ装置から受け取った上記指示データを指示データレコードとして記憶する。上記画像読取装置は、指示データ提供用サーバ装置から指示データを受け取り上記第２のブログサーバ装置に記事データと、上記指示データに含まれるトラックバック先情報とを送出する。上記第２のブログサーバ装置は上記記事データに基づいて記事を登録し、上記トラックバック先情報をトラックバック先とするトラックバック通知を上記第１のブログサーバ装置に送信する。
【００２７】
この構成においては、元の記事を参照しているときにトラックバック先を情報機器が参照できる指示データ提供用サーバ装置に自動的に記憶し、関連記事の投稿時に、情報機器がトラックバック先の情報を参照することでトラックバックを自動化し、投稿作業の省力化や確実なトラックバックが可能になる。
【００２８】
また、この発明のさらに他の側面によれば、上述の目的を達成するために、画像読取装置の処理内容を指定する指示データを記憶する当該画像読取装置または指示データ提供用サーバ装置に通信ネットワークを介して接続されるブログサーバ装置に：記事のトラックバック先情報を記憶する記憶手段と；クライアント装置からの要求に応じて記事のトラックバック先情報を含みトラックバック指定を行う指示データを生成する生成手段と；生成した上記指示データを上記画像読取装置または上記指示データ提供用サーバ装置の指示データレコードとして登録させるために上記指示データを上記画像読取装置または上記指示データ提供用サーバ装置に送出する送出手段とを設けている。
【００２９】
この構成においても、元の記事を参照しているときにトラックバック先を情報機器が参照できる指示データ提供用サーバ装置に自動的に記憶し、関連記事の投稿時に、情報機器がトラックバック先の情報を参照することでトラックバックを自動化し、投稿作業の省力化や確実なトラックバックが可能になる。
【００３０】
また、この発明のさらに他の側面によれば、プリンタと、画像読取装置と、第１のブログサーバ装置と、第２のブログサーバ装置とを通信ネットワークを介して接続して情報処理システムを構築する。上記第１のブログサーバ装置は：記事のトラックバック先情報を記憶する記憶手段と；クライアント装置からの要求に応じて記事のトラックバック先情報の識別画像を含むウェブページを生成する生成手段とを有する。上記プリンタは、クライアント装置からの要求に応じて、上記記事のトラックバック情報の識別画像を含むウェブページを印刷する。上記画像読取装置は、上記ウェブページの印刷画像および新たに上記第２のブログサーバ装置に投稿する記事の印刷画像を読み取り、上記第２のブログサーバ装置に送出する。上記第２のブログサーバ装置は：上記記事の印刷画像を処理して記事データベースに登録する登録手段と；上記ウェブページの印刷画像に含まれるトラックバック先情報の識別画像に基づいてトラックバック先の上記第１のブログサーバ装置にトラックバック通知を送信する送信手段とを有する。
【００３１】
この構成においては、元の記事を参照しているときにトラックバック先を情報機器が参照できる紙媒体に自動的に記録し、関連記事の投稿時に、情報機器がトラックバック先の情報を参照することでトラックバックを自動化し、投稿作業の省力化や確実なトラックバックが可能になる。
【００３２】
この場合も、上記第１のブログサーバ装置および上記第２のブログサーバ装置は同一であってもよいし、異なってもよい。
【００３３】
また、この発明のさらに他の側面によれば、上述の目的を達成するために、ブログサーバ装置に：記事および記事のトラックバック先情報を記憶する記憶手段と；クライアント装置からの要求に応じて、記事および記事のトラックバック先識別画像からなるウェブページを出力する出力手段とを設けている。
【００３４】
この構成においても、元の記事を参照しているときにトラックバック先を情報機器が参照できる紙媒体に自動的に記録し、関連記事の投稿時に、情報機器がトラックバック先の情報を参照することでトラックバックを自動化し、投稿作業の省力化や確実なトラックバックが可能になる。
【００３５】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００３６】
この発明の上述の側面および他の側面は特許請求の範囲に記載され以下実施例を用いて詳述される。
【発明の効果】
【００３７】
この発明によれば、トラックバックを自動化し、投稿作業の省力化や確実なトラックバックが可能になる。
【発明を実施するための最良の形態】
【００３８】
以下、この発明の実施例について説明する。
【実施例１】
【００３９】
図１は、この発明を適用した、ブログサーバを含む情報処理システムの実施例１を示しており、この図において、情報処理システムはブログサーバ１００、画像読取装置２００、テンプレートサーバ３００、プリンタ４００およびクライアント端末５００を通信ネットワーク６００に接続して構成されている。通信ネットワークは、典型的にはＴＣＰ／ＩＰプロトコルによるものであるが、種々の通信プロトコルを用いて継続的にまたは一時的（ポイントツーポイントで）に接続される有線または無線の通信ネットワークであってよい。ファクシミリや通話回線を用いたネットワークであっても良い。ブログサーバ１００、テンプレートサーバ３００、クライアント端末５００は、典型的には、一般的な計算機の構成を有し、ＣＰＵ、主メモリ、バス、各種の入出力装置を具備し、主メモリにプログラムをインストールして各種の処理を実行させることができる。プログラムは各種の記録媒体や通信ネットワークを介して提供できる。
【００４０】
図においては、２つのブログサーバ１００Ａ、１００Ｂ、１つの画像読取装置２００、１つのテンプレートサーバ３００、１つのプリンタ４００、２つのクライアント端末５００Ａ、５００Ｂを例示的に示したが、個数は任意である。ブログサーバ１００Ａ、１００Ｂを統合して説明する場合にはサフィックスＡ、Ｂを省略する。クランアント端末５００についても同様である。
【００４１】
図１において、ブログサーバ１００は、投稿記事、コメントをデータベースに保管管理し、これをウェブサービスを用いてユーザに提示している。記事投稿処理に際してトラックバック先のアドレス情報（トラックバックＵＲＬ）を受け取って他の記事（他のまたは同一のブログサーバ１００が管理する記事）に対してトラックバック通知を行ってリンクを張ることが可能である。ブログサーバ１００の詳細については図２を用いて後に説明する。
【００４２】
画像読取装置２００は、原稿を光学的に読み取って画像データを処理する。画像読取時にジョブのパラメータを入力し、あるいは、ジョブメモリに登録されている設定、あるいは、テンプレートサーバ３００に保持されているテンプレートに登録されている設定を用いて、各種のジョブを実行できる。この例では、投稿記事の原稿を読み取ってブログサーバ１００に投稿記事の画像データを送出する。後述するように、トラックバック先のアドレス情報自体をテンプレートサーバ３００から受け取ってトラックバック先のアドレスを投稿記事に関連する情報としてブログサーバ１００に供給できる。代替的には、トラックバック先のアドレス情報の識別画像（例えば一次元、二次元バーコード）を画像読取装置２００自体で読み取ってブログサーバ１００に供給しても良い。
【００４３】
テンプレートサーバ３００は、画像読取装置２００のジョブのパラメータの設定のレコードを登録するものである。ユーザは画像読取装置２００を利用する際にテンプレートサーバ３００から所望のテンプレートを指定してそのテンプレートで規定されるパラメータを取り出してテンプレート記憶部２００ａに記憶してその設定で画像読取装置２００にジョブを実行させることができる。画像読取装置２００は、テンプレートサーバ３００の機能を含んでも良い。この場合、外部からテンプレート記憶部２００ａにテンプレートを直接に登録しても良い。
【００４４】
プリンタ４００はクライアント端末５００の要求に応じて各種のプリントジョブを実行するものである。この例では、投稿記事のプリントアウトや、閲覧してトラックバック対象の記事およびそのトラックバック先ＵＲＬの識別画像のプリントアウトを行う。
【００４５】
クライアント端末５００は、典型的にはパーソナルコンピュータであるが、携帯端末、その他、各種の情報機器（ＴＶ受像機等を含む）であってよい。クライアント端末５００はブログサーバ１００にアクセスして当該ブログサーバ１００が保管管理している記事、コメント、トラックバック情報等を閲覧する。クライアント端末５００は、具体的には、ブログサーバ１００に対してＨＴＴＰ要求を送り、ブログサーバ１００から、記事、コメント、トラックバック情報等を表示するウェブページをＨＴＴＰ応答として受け取る。
【００４６】
また、クライアント端末５００は、ブログサーバ１００のアプリケーションサービスを利用して、閲覧中の記事のトラックバック先ＵＲＬを取得してこれをトラックバック先として記事を登録するジョブの設定をテンプレートサーバ３００に登録させることができる。また、クライアント端末５００は、ブログサーバ１００のアプリケーションサービスを利用して、閲覧中の記事のトラックバック先ＵＲＬの識別画像を伴う記事画像を取得して、この画像をプリンタ４００を利用してプリントアウトできる。記事の閲覧中に、トラックバック先ＵＲＬの識別画像を伴う記事画像を所定のプリンタ４００（例えば閲覧者がプリンタの指定を入力する）に印刷するようにブログサーバ１００に要求しても良い。
【００４７】
つぎにブログサーバ１００の構成例を説明する。図２はブログサーバ１００の構成例を示しており、この図において、ブログサーバ１００は、画像処理部１０、記事投稿部１１、記事データベース１２、トラックバック先登録部１３、公開処理部１４、トラックバック通知送信部１５、トラックバック通知処理部１６、閲覧要求処理部１７、トラックバック先識別画像生成部１８、トラックバック先識別画像記憶部１９、投稿処理登録部２０等を含んで構成されている。各部は、典型的には、ブログサーバ１００のコンピュータ資源およびソフトウェアを協働させて構成される機能手段である。
【００４８】
画像処理部１０は、画像読取装置２００からの原稿画像を受け取り、必要な場合には文字認識を行う。記事投稿部１１は、原稿画像またはテキストを記事データベース１２に登録する。なお、画像読取装置２００はジョブパラメータが指定するブログサーバ１００の登録先ＵＲＬに画像データを送信する。画像読取装置２００がジョブ指定に基づいて文字認識等の前処理を行っても良い。また、画像読取装置２００は、原稿画像に他にタイトル、トラックバック先情報等の付加データをブログサーバ１００に送信する。画像読取装置２００は、トラックバック先ＵＲＬの識別画像の含む原稿を読み取ってその画像を付加データとしてブログサーバ１００に送出しても良い。この場合、ブログサーバ１００の画像処理部はトラックバック先ＵＲＬの識別画像を復号してトラックバック先ＵＲＬを取得する。画像読取装置２００でトラックバック先ＵＲＬの識別画像を復号してトラックバック先ＵＲＬを取得してこれをブログサーバ１００に供給しても良い。
【００４９】
トラックバック先登録部１３は、トラックバック先ＵＲＬを記事に関連付けて記事データベース１２に登録する。
【００５０】
公開処理部１４は、記事データベース１２に登録して記事の公開処理を行う。公開処理に伴って記事のウェブベースの閲覧が可能になる。なお、公開処理は管理者等が行っても良いし、自動的に開会させても良い。公開処理部１４で公開処理が行われた記事にトラックバック先が登録されている場合には、トラックバック先の記事を管理するブログサーバ１００にトラックバック通知を行う。この通知には、トラックバック元のＵＲＬ、タイトル等が含まれ、通知を受けたブログサーバ１００においてトラックバック先からトラックバック元へのリンクの形成が可能である。
【００５１】
トラックバック通知処理部１６は、トラックバック通知を受けたときに、「トラックバック」にトラックバック元の記事を登録してトラックバック元へのリンクを形成可能である。トラックバックは記事データベース１２に登録される。
【００５２】
閲覧要求処理部１７は、クライアント端末５００からのＨＴＴＰ要求を受け取ってＨＴＴＰ要求を返す。典型的にはクライアント端末５００は記事のウェブページの閲覧を要求し、閲覧要求処理部１７は記事データベース１２から当該ウェブページを組み立ててクライアント端末５００に返す。
【００５３】
クライアント端末５００は、記事の閲覧中に、あるいは事前に、トラックバック先ＵＲＬの識別画像付きの記事の閲覧を要求できる。トラックバック先識別画像生成部１８は、記事データベース１２から記事のトラックバック先ＵＲＬを取得してこれを識別画像に符号化し、閲覧要求処理部１７は、識別画像付きの記事のウェブページをクライアント端末５００に返す。なお、トラックバック先識別画像記憶部１９にトラックバック先識別画像を保持しておいてこれを利用しても良い。
【００５４】
クライアント端末５００は、トラックバック先識別画像付きの記事のウェブページをプリンタ４００でプリントアウトできる。なお、トラックバック先識別画像付きの記事のウェブページを印刷するプリントジョブをブログサーバ１００からプリンタ４００に供給するようにクライアント端末５００が要求しても良い。この場合、例えば、記事閲覧の受け部ページにプリントジョブの指定ボタンを設けてこれをクリック操作することによりプリントジョブがブログサーバ１００からプリンタ４００に供給される。
【００５５】
このトラックバック先識別画像付きの記事のウェブページのプリントアウトの原稿は、新たな記事の原稿画像とともに画像読取装置２００により読み込まれることについては先に説明した。
【００５６】
投稿処理登録部２０は、クライアント端末５００から投稿処理登録を受け取ってこれをジョブテンプレートとしてテンプレートサーバ３００または画像読取装置２００に登録する。この場合、好ましくは、記事の閲覧画面に、投稿処理登録の指示ボタン等が設けられ、この指示ボタン等を用いてテンプレートサーバ３００または画像読取装置２００にテンプレートのレコードとして登録される。テンプレートの内容としては、当該ブログサーバ１００の所定の投稿サイトに記事を投稿するという指示である。他のテンプレートの内容としては、閲覧中の記事のトラックバック先ＵＲＬをトラックバックＵＲＬとして他の所定の投稿サイトで記事を投稿するという指示である。好ましくはデフォルトまたはオプションの選択により登録先のテンプレートサーバ３００または画像読取装置２００が指定される。もちろん閲覧者が登録先を入力しても良い。テンプレートのレコードは組み合わせて利用できる。例えば、記事投稿先のテンプレートとトラックバック先指定のテンプレートとを併せて使用してもよい。ジョブメモリのレコードと併せて使用しても良い。組み合わせたレコードで矛盾のあるパラメータがある場合には、画像読取装置において、自動的に解決し、あるいはユーザに指定を促すことが好ましい。
【００５７】
つぎにこの実施例の動作例を説明する。
【００５８】
この動作例では、ブログサーバ１００Ａで記事を閲覧し、記事およびトラックバックＵＲＬの識別画像のプリントアウトを取得する。そして、ブログサーバ１００Ｂの投稿サイトに記事を投稿する。ブログサーバ１００Ｂで投稿サイトの指定を行ない、画像読取装置２００にテンプレートとして登録する。画像読取装置２００は、投稿記事の原稿およびトラックバックＵＲＬ付きの閲覧記事の原稿を読み取って、テンプレートに従って、投稿記事の画像およびトラックバックＵＲＬの識別画像をブログサーバ１００Ｂに供給する。ブログサーバ１００Ｂは記事を登録し、ブログサーバ１００Ａにトラックバック通知を送信する。
【００５９】
図３は、閲覧対象の記事のブログサーバ１００Ａの動作例を示しており、図４は投稿対象のブログサーバ１００Ｂの動作例を示しており、図３および図４において図１および図２と対応する箇所には対応する符号を付す。
【００６０】
この動作例の処理は以下のとおりである。
【００６１】
［Ｓ１０］：ユーザは、ブログサーバ１００Ａに公開されている記事を、ウェブブラウザ（クライアント端末５００）を利用して確認し、その記事のトラックバック先識別画像付きの表示を、ブログサーバ１００Ａへ要求する。
［Ｓ１１］：ブログサーバ１００Ａは、トラックバック先識別画像付きの記事表示を、ウェブブラウザへ応答する。トラックバック先識別画像は、記事公開時にあらかじめ生成しておいてもよいし、要求時に作成してもよい。
［Ｓ１２］：ユーザは、トラックバック先識別画像付きの記事表示を確認して、それをプリンタ４００で印刷する。ユーザは、印刷された記事を参考にして、関連記事を作成する。記事を作成するユーザは、元の記事を印刷したユーザである必要はない。
［Ｓ１３］：ブログサーバ１００Ｂへ投稿するユーザのために、画像読取装置２００には投稿処理通知先（テンプレート）が登録される。この登録は、投稿するユーザがおこなってもよいし、システム管理者が行ってもよい。この投稿処理通知先には、画像読取装置２００が画像を転送するためのブログサーバ１００Ｂを特定する情報（ＵＲＬ）だけではなく、転送時に添付する関連情報もあらかじめ設定される。関連情報には、ブログサーバ１００Ｂ上のカテゴリ情報や記事のタイトル、投稿者名など記事登録に必要な情報が含まれる。
［Ｓ１４］：関連記事を作成したユーザは、画像読取装置２００で、新規記事原稿とトラックバック先識別画像付きの記事原稿を入力し、自分のブログサーバ１００Ｂへ登録処理通知を行う。このときテンプレートを利用する。
［Ｓ１５］：画像読取装置２００は、新規記事原稿とトラックバック先識別画像付きの記事原稿の画像を作成するとともに、ブログサーバ１００Ｂへその情報を送付する。
［Ｓ１６］：ブログサーバ１００Ｂでは、画像読取装置から送付された画像と関連情報を受け取る。関連情報から記事登録に必要な情報を取り出し、記事登録情報としてメモリに保存する。
［Ｓ１７］：ブログサーバ１００Ｂの画像処理部１０は、各ページにトラックバック先識別画像があるかどうか確認する。確認できないページは記事の本体画像へ順次追加する。トラックバック先識別画像を含むページがあった場合、トラックバック先識別画像から読み取ったトラックバック先情報をメモリ上に保存する。
［Ｓ１８］：ブログサーバ１００Ｂの記事投稿部１１は、記事の本体画像と記事登録情報を使用して、新規に投稿記事を作成する。本体画像を使用した記事内容の作成については、以下のようなものがある。
（ａ）本体画像を、記事内のリンク情報として、閲覧者へ公開する。
（ｂ）本体画像から、ＯＣＲ処理により文字情報をとりだして、記事として、閲覧者へ公開する。
（ｃ）本体画像から、バーコードなど電子的な情報で埋め込まれた記事を取り出して、閲覧者へ公開する。
［Ｓ１９］：ブログサーバ１００Ｂのトラックバック先登録部１３は、ステップＳ１７で保存されたトラックバック先情報を、投稿記事のトラックバック先として登録する。
［Ｓ２０］：ブログサーバ１００Ｂの公開処理部１４は、投稿記事の公開を行う。このとき、ステップＳ２０で登録されたトラックバック先へ通知を行う。
【００６２】
なお、ブログサーバ１００Ｂの画像処理、記事登録、トラックバック先登録、公開処理の各機能は、ブログサーバ１００Ｂの本体システムの機能である必要はなく、ブログサーバ１００Ｂの本体システムの外部インタフェースを利用して実現することもできる。
【００６３】
この動作例では、公開処理によりトラックバック通知の送信を行うこととしているが、公開処理は必ずしも自動で行われる必要はない。ブログサーバ１００Ｂへ登録された投稿記事（下書き状態）へトラックバック先も登録されていれば、ユーザはいつでもそのトラックバックと公開を実施することにしてもよい。
【００６４】
つぎに、画像読取装置２００へトラックバック先情報つき処理フローテンプレートを登録して、画像読取装置２００へ投稿記事をスキャンすることで、投稿処理およびトラックバックを自動化する場合の動作例を図５を参照して説明する。
【００６５】
図５の動作例の詳細は以下のとおりである。
【００６６】
［Ｓ３０］：ユーザは、記事を処理するフローテンプレートの登録用のインタフェースを含む画面を閲覧する。具体的にはクライアント端末５００からブログサーバ１００ＡにＨＴＴＰ要求を送り、ブログサーバ１００Ａがフローテンプレート登録用のインタフェースを含む画面のウェブページをクライアント端末５００に返す。その画面では処理フローテンプレートが登録可能な画像読取装置２００の一覧も表示される。図５の例ではチェックボックスにより画像読取装置２００を選択できる。
［Ｓ３１］：ユーザは、利用する画像読取装置２００を選択して、投稿したいブログサーバ１００Ｂの情報を入力し、処理テンプレートの登録を要求する。
［Ｓ３２］：ブログサイト１００Ａは、処理連プレートの登録の要求を受け取って画像読取装置２００へ、閲覧しているトラックバック先の情報と投稿先の情報とを記載した処理フローテンプレートを送出する。この動作例では、画像読取装置２００が処理テンプレートを直接に記憶するけれども、テンプレートサーバ３００が処理テンプレートを記憶して画像読取装置２００がこの処理テンプレートを利用してもよい。処理フローテンプレートを受信した画像読取装置２００は、それを記憶する。
［Ｓ３３］：画像読取装置２００は、ユーザが作成した関連記事を処理フローテンプレートに従って処理する。
［Ｓ３４］：画像読取装置２００は、処理フローテンプレートに記載された情報とともに、読み取った関連記事の画像をブログサーバ１００Ｂへ送付する。
［Ｓ３５］：ブログサーバ１００Ｂでは、関連記事を新規投稿処理し、送付されたトラックバック先の情報を保存し、公開処理を行う。最終的に、ブログサーバ１００Ｂからブログサーバ１００Ａへ、トラックバック通知が行われる。
【００６７】
なお、上述の動作例ではステップＳ３１において投稿サイトの情報を入力したけれども、画像読取装置２００で直接にまたはジョブメモリや他のフローテンプレートを組み合わせて当該投稿サイトの情報を入力しても良い。
【００６８】
以上説明したように、この実施例によれば、投稿された記事のトラックバック先の関する情報（ＵＲＬ）を容易に保持することができ、関連記事の投稿者の画像読取装置による投稿処理とトラックバック処理を自動化することができる。また、バーコード（１次元バーコード、２次元バーコードなどの識別画像）を、記事の内容とは別に自動的に生成することにより、投稿者が画像作成する作業を省くことができる。また、記事とともにトラックバック先識別画像を印刷する場合、その印刷結果から、記事がトラックバック先を有するときにはその事実を明瞭に把握でき、投稿作業で画像読取装置を用いたトラックバック処理に利用できることが明確になる。
【００６９】
画像読取装置で読み取られた記事に関しては、画像のＯＣＲ処理を組み合わせることにより、画像ではなく文字情報とすることも可能である。
【００７０】
トラックバック先識別画像を含んだ画像を利用する場合、画像読取装置に異なるトラックバック先識別画像を含んだ画像を読み取らせることにより、投稿記事へ複数のトラックバック先の自動登録も可能となる。
【００７１】
さらに、トラックバック先識別画像を含んだ紙原稿が配布されたユーザの場合、元の記事のブログサーバへアクセスしトラックバック先を確認することなく、自分のブログサーバへ関連記事を投稿し、元原稿へトラックバックすることができる。
【００７２】
以上のことから、参照した記事へのトラックバックを実行する投稿作業の省力化を図ることができ、画像読取装置がファクシミリ装置である場合には、ブログサーバへネットワーク接続されていない環境からでもトラックバックをともなう投稿作業が可能となる。
また、トラックバック先識別画像を含んだ記事原稿を作成することは、紙の携帯性を利用した情報共有を維持したままでの、ブログサーバでのトラックバックによる情報活用を容易にする。
【実施例２】
【００７３】
上述の実施例では、トラックバック先識別画像生成機能は、ブログサーバ上で構成されていたが、これを他のサーバあるいはクライアントコンピュータで実現することも考えられる。たとえば、ブログサーバから提供されるＲＳＳフィード（Ｒｅｓｏｕｒｃｅ  Ｄｅｓｃｒｉｐｔｉｏｎ  Ｆｒａｍｅｗｏｒｋ  Ｓｉｔｅ  Ｓｕｍｍａｒｙ。コンテンツ一覧情報）を利用し、クライアントコンピュータでのＲＳＳフィード読み取りソフトウェア上で実現することも可能である。
【００７４】
以下では、トラックバック先識別画像の印刷結果の取得までの動作・構成を中心に説明する。
【００７５】
図６はこの実施例の情報処理システムを模式的に示しており、この図において、情報処理システムは、コンテンツ一覧情報を公開するブログサーバ１００、ブログサーバ１００にアクセス可能であるコンピュータ７００を含んで構成されている。ブログサーバ１００で公開するコンテンツ一覧情報はトラックバック先を含んでいる。コンピュータ７００は、コンテンツ一覧情報管理部３０、トラックバック先識別画像生成部３１、および、トラックバック先識別画像付きコンテンツ一覧情報を生成するコンテンツ一覧情報生成部３２等を有している。コンテンツ一覧情報管理部３０は、コンテンツ一覧情報を格納し、コンテンツ一覧情報は必要に応じて更新する。トラックバック先識別画像生成部３１は、コンテンツ一覧情報から各トラックバック先を取得し、トラックバック先識別画像を生成する。コンテンツ一覧情報生成部３２は、コンテンツ情報一覧からブログサーバ１００の記事とトラックバック先識別画像とともに表示する内容を作成し、そのコンテンツ一覧情報を生成する。
【００７６】
コンピュータ７００の要求によりプリンタ４００がトラックバック先識別画像を含むコンテンツ一覧のプリントアウトを生成する。
【００７７】
この実施例の動作例は以下のとおりである。
【００７８】
［ステップＳ４０］：ブログサーバ１００はコンテンツ一覧を公開する。このとき、コンテンツ一覧情報には、各コンテンツのトラックバック先が含まれる。
［ステップＳ４１］：コンピュータ７００のコンテンツ一覧情報管理部３０は、定期的あるいは必要に応じて、ブログサーバ１００のコンテンツ一覧情報を取得する。さらに、前回のコンテンツ一覧情報と比較して、新規コンテンツがあるかどうか確認する。
［ステップＳ４２］：コンピュータ７００のコンテンツ一覧情報管理部３０は新規コンテンツのトラックバック先を読み取り、トラックバック先識別画像生成部３１により、トラックバック先識別画像を作成する。
［ステップＳ４３］：コンピュータ７００のトラックバック先識別画像付きコンテンツ一覧情報を生成するコンテンツ一覧情報生成部３２は、新規コンテンツのリンク先と生成されたトラックバック先識別画像を表示するＨＴＭＬを作成して、自らが管理するコンテンツ一覧情報へ追加する。
［ステップＳ４４］：ユーザは、クライアント端末５００のコンテンツ一覧情報リーダを使用して、コンピュータ７００が提供するトラックバック先識別画像付きコンテンツ一覧情報を読み取る。ユーザは、コンテンツ一覧情報リーダで、必要なコンテンツを選択すると、コンピュータ７００の提供するトラックバック先識別画像を表示するＨＴＭＬが送付される。トラックバック先識別画像を表示するＨＴＭＬは、ブログサーバ１００から記事を取得し、トラックバック先識別画像をコンピュータ７００から取得し、コンテンツ一覧情報リーダで表示する。
［ステップＳ４５］ユーザは、その表示内容を、プリンタ４００で印刷する。
【００７９】
印刷した紙原稿を参照して投稿記事を作成した後の公開およびトラックバック処理は先の実施例１と同じとなる。
【００８０】
この例では、コンピュータ７００上にコンテンツ一覧情報リーダが存在してもかまわないし、別のコンピュータであってもかまわない。
【００８１】
以上で実施例の説明を終了する。
【００８２】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。
【図面の簡単な説明】
【００８３】
【図１】この発明のブログサーバを用いた情報処理システムの実施例１を全体として示す図である。
【図２】図１のブログサーバの構成例を説明するブロック図である。
【図３】上述実施例１の動作例を模式的に示す図である。
【図４】上述実施例１の動作例をさらに模式的に示す図である。
【図５】上述実施例の他の動作例を模式的に示す図である。
【図６】この発明の実施例２の情報処理システムを模式的に示す図である。
【符号の説明】
【００８４】
１０       画像処理部
１１       記事投稿部
１２       記事データベース
１３       トラックバック先登録部
１４       公開処理部
１５       トラックバック通知送信部
１６       トラックバック通知処理部
１７       閲覧要求処理部
１８       トラックバック先識別画像生成部
１９       トラックバック先識別画像記憶部
２０       投稿処理登録部
３０       コンテンツ一覧情報管理部
３１       トラックバック先識別画像生成部
３２       コンテンツ一覧情報生成部
３２       コンテンツ一覧情報生成部
１００    ブログサーバ
２００    画像読取装置
３００    テンプレートサーバ
４００    プリンタ
５００    クライアント端末
６００    通信ネットワーク
７００    コンピュータ
【図１】
2008181345.tif 000003
【図２】
2008181345.tif 000004
【図３】
2008181345.tif 000005
【図４】
2008181345.tif 000006
【図５】
2008181345.tif 000007
【図６】
2008181345.tif 000008